(57)【要約】【課題】  シート状物の横寄せ装置において、簡単な構造にするとともに部品点数を削減することにより製造コストの低減を図り、かつ良好なシート状物の揃えを行う。【解決手段】  横寄せ装置１５を構成する固定横寄せ部材１６に支持部材１７を介して取り付けられたガイドブロック３０Ａ，３０Ｂには、ガイドバー１８が紙の天地（矢印Ａ−Ｂ）方向に摺動自在に支持されている。ガイドバー１８の一端部に取り付けられた移動横寄せ部材１９は矢印Ａ−Ｂ方向に移動自在で、吸引減速手段８の案内板１０の案内面１０ｃに当接するころ３８を回転自在に支持している。支持部材１７と移動横寄せ部材１９との間に弾装された圧縮コイルばね３５によって、ころ３８が案内面１０ｃに当接する方向に付勢されている。【選択図】  図８
2007261697.tif 000002
【特許請求の範囲】
【請求項１】
吸引減速手段により吸引されることにより減速させられて積載手段に積載されるシート状物をこのシート状物の左右方向に振動する横寄せ部材により揃え、前記吸引減速手段および前記横寄せ部材がシート状物の天地方向へ移動可能に支持されているシート状物の横寄せ装置において、
前記吸引減速手段または前記横寄せ部材の一方に設けられ前記シート状物の左右方向に延びる当接面と、
前記吸引減速手段または前記横寄せ部材の他方に設けられ前記当接面のみに当接するころ部材と、
このころ部材を前記当接面に付勢する付勢手段とを備えたことを特徴とするシート状物の横寄せ装置。
【請求項２】
前記横寄せ部材に、この横寄せ部材の前記吸引減速手段へ向かう方向への移動を規制し、前記当接面と前記ころ部材とが離間した状態で横寄せ部材の往復動を可能にする規制手段を設けたことを特徴とする請求項１記載のシート状物の横寄せ装置。
【請求項３】
前記当接面を前記吸引減速手段に設け、前記ころ部材を前記横寄せ部材に支持したことを特徴とする請求項１または２記載のシート状物の横寄せ装置。
【請求項４】
前記当接面を前記吸引減速手段に設けられ前記積載手段に落下するシート状物を案内する案内板に設けたことを特徴とする請求項１記載のシート状物の横寄せ装置。
【請求項５】
前記当接面は、前記案内板に設けられ落下するシート状物を案内する案内面であることを特徴とする請求項４記載のシート状物の横寄せ装置。
【発明の詳細な説明】
【技術分野】
【０００１】
本発明は、枚葉印刷機またはコーティング装置あるいはシート状物の印刷品質を検査する検査装置等、シート状物を取扱うシート状物取扱装置に設けられるシート状物排出装置に備えられ、このシート状物排出装置に落下し積載されるシート状物の左右方向を揃えるシート状物の横寄せ装置に関するものである。
【背景技術】
【０００２】
一般に、この種のシート状物排紙装置においては、エアーでシート状物を吸引することによりシート状物の搬送速度を減速してシート状物の天地方向を揃える吸引減速手段としての吸引車が設けられている。また、落下したシート状物の先端を当接させる天地方向揃え手段としての紙当てが設けられており、この紙当てと吸引車との間には、シート状物の幅方向に微動させ、かつシート状物の左右方向のサイズに応じて移動調整可能なシート状物の左右方向を揃えるための左右一対の横寄せ装置が設けられている。この横寄せ装置がシート状物の天地方向に固定された構造になっていると、天地方向のサイズが小さいシート状物に対応させるため吸引車を横寄せ装置側に移動させると吸引車が横寄せ装置に衝突することがあるため、横寄せ装置もシート状物の天地方向に移動調整可能に支持させている。
【０００３】
従来のシート状物の横寄せ装置における第１の例として、吸引車がシート状物の天地方向への移動に対応して、横寄せ装置をエアシリンダーによってシート状物の天地方向に移動させるものがある。また、第２の例として、モータを駆動源として回転するピニオンと、このピニオンに噛合し横寄せ装置に取り付けられたラックとを備え、モータを駆動することにより横寄せ装置をシート状物の天地方向に移動させるものもある。また、第３の例として、横寄せ装置を吸引車から離間させる方向に付勢するとともに、横寄せ装置と吸引車とをリンクによって連結し、吸引車の移動に連動させて横寄せ装置をシート状物の天地方向に移動させるものがある。また、第４の例として、横寄せ装置を吸引車から離間させる方向に付勢するとともに、横寄せ装置と吸引車とをワイヤーによって連結し、吸引車の移動に連動させて横寄せ装置をシート状物の天地方向に移動させるものもある（例えば、特許文献１参照）。また、吸引減速装置と横寄せ装置のどちらか一方に他方を検出するリミットスイッチを設け、吸引減速装置が横寄せ装置に接触する以前にリミットスイッチが動作することにより吸引減速装置の移動を停止させるものもある（例えば、特許文献２参照）。
【特許文献１】実開平６−３３８６２号公報（段落「０００９」〜「００１９」、図２ないし図７）
【特許文献２】実開平６−３３８６０号公報（段落「００１０」および「００１４」、図２）
【発明の開示】
【発明が解決しようとする課題】
【０００４】
上述した従来のシート状物の横寄せ装置のうち第１および第２の例においては、横寄せ装置を駆動するためのエアシリンダーやモータまたはこれらを取り付けるための部品が必要になるから、部品点数が増加し製造コストが嵩むという問題があった。また、エアシリンダーやモータを制御する制御部に異常が発生すると、横寄せ装置が移動しなくなることにより、吸引車が横寄せ装置に衝突してしまうおそれもあった。また、第３の例においては、リンクや横寄せ装置を案内するレールが必要になるため、部品点数が増加し製造コストが嵩むという問題があった。また、レールと横寄せ装置の往復動する方向との平行度がわずかでもずれた状態で組み付けられると、横寄せ装置のシート状物の左右方向への移動が円滑に行われなくなるため紙揃えが悪くなるという問題もあった。また、第４の例においては、横寄せ装置のシート状物の左右方向への移動がワイヤーを介して、横寄せ装置の天地方向への移動も誘起させるため、紙揃えが悪くなるという問題があった。また、横寄せ装置の天地方向の位置がワイヤーによって制限されるため、吸引車の天地方向位置と横寄せ装置の紙幅方向位置とにより横寄せ装置の天地方向位置が決定されてしまい、特定のサイズのシート状物に対しては横寄せ装置がシート状物の天地方向中央に位置付けられないという問題もあった。また、上述した従来のシート状物の横寄せ装置のうち後者の例においては、横寄せ装置と吸引減速手段との干渉を防止するためのリミットスイッチが必要になるというだけではなく、このリミットスイッチによって吸引減速手段を一旦停止させた後に、横寄せ装置を干渉しない位置まで移動させる動作や吸引減速手段を再度所定位置まで移動させるという作業者の手動調整が必要になるという問題があった。
【０００５】
本発明は上記した従来の問題に鑑みなされたものであり、その目的とするところは、簡単な構造にするとともに部品点数を削減することにより製造コストの低減を図り、かつ良好なシート状物の揃えが行えるシート状物の横寄せ装置を提供するところにある。
【課題を解決するための手段】
【０００６】
この目的を達成するために、請求項１に係る発明は、吸引減速手段により吸引されることにより減速させられて積載手段に積載されるシート状物をこのシート状物の左右方向に振動する横寄せ部材により揃え、前記吸引減速手段および前記横寄せ部材がシート状物の天地方向へ移動可能に支持されているシート状物の横寄せ装置において、前記吸引減速手段または前記横寄せ部材の一方に設けられ前記シート状物の左右方向に延びる当接面と、前記吸引減速手段または前記横寄せ部材の他方に設けられ前記当接面のみに当接するころ部材と、このころ部材を前記当接面に付勢する付勢手段とを備えたものである。
【０００７】
請求項２に係る発明は、請求項１に係る発明において、前記横寄せ部材に、この横寄せ部材の前記吸引減速手段へ向かう方向への移動を規制し、前記当接面と前記ころ部材とが離間した状態で横寄せ部材の往復動を可能にする規制手段を設けたものである。
【０００８】
請求項３に係る発明は、請求項１または２に係る発明において、前記当接面を前記吸引減速手段に設け、前記ころ部材を前記横寄せ部材に支持したものである。
【０００９】
請求項４に係る発明は、請求項１に係る発明において、前記当接面を前記吸引減速手段に設けられ前記積載手段に落下するシート状物を案内する案内板に設けたものである。
【００１０】
請求項５に係る発明は、請求項４に係る発明において、前記当接面は、前記案内板に設けられ落下するシート状物を案内する案内面である。
【発明の効果】
【００１１】
請求項１に係る発明によれば、部品点数が削減され構造が簡素化されるため製造コストが低減される。また、シート状物の左右方向に延びる当接面とこれにのみ当接するころとによって横寄せ装置のシート状物の左右方向への移動が行われるため、横寄せ装置の移動が円滑に行われるから良好なシート揃えが行える。また、吸引減速手段の移動により横寄せ装置が天地方向へ移動するので、シート状物のサイズ変更に伴う調整作業が容易になる。
【００１２】
請求項２に係る発明によれば、シート状物の天地方向のサイズが比較的大きい場合は、当接面ところとが非接触状態になるため、当接面やころに発生する摩耗を低減させることができるから耐久性を向上させることができる。
【００１３】
請求項３ないし５に係る発明によれば、シート状物を案内する案内板の案内面に当接面としての機能を併せ持たせたことにより、部品点数をより削減することができるから製造コストを一層低減することができる。
【発明を実施するための最良の形態】
【００１４】
以下、本発明の実施の形態を図に基づいて説明する。図１は本発明に係るシート状物の横寄せ装置を採用した枚葉輪転印刷機の排紙装置の側面図、図２は図１におけるII矢視図、図３は図１における III矢視図、図４は図９におけるIV矢視図、図５は図９における V矢視図、図６は図９におけるVI矢視図、図７は同じく支持部材を示し、同図（Ａ）は正面図、同図（Ｂ）は底面図、同図（Ｃ）は右側面図、同図（Ｄ）は左側面図、図８は図３におけるVIII矢視図であって、同図（Ａ）は天地方向のサイズが大きいシート状物の排紙状態を示し、同図（Ｂ）は天地方向のサイズが小さいシート状物の排紙状態を示し、図９は同じく枚葉輪転印刷機の排紙装置の平面図である。
【００１５】
図１に全体を符号１で示すものはシート状物取扱装置のシート状物排出装置としての枚葉輪転印刷機の排紙装置であって、この排紙装置１の左右のフレーム２，２（一方のフレーム２は図示せず）に軸支されたスプロケット３ａには、左右一対のスプロケット３，３（一方のスプロケット３は図示せず）が軸着されている。このスプロケット３と図示を省略した印刷装置側のスプロケットとの間には、搬送手段としての左右一対の排紙チェーン４，４（一方の排紙チェーン４は図示せず）が張架されている。左右の排紙チェーン４，４には、一定間隔をあけて配設された図示しない保持手段としての周知の紙くわえ装置が設けられており、印刷された紙はこの紙くわえ装置によって搬送され、搬送終端部において紙は紙くわえ装置から解放される。
【００１６】
排紙チェーン４の搬送終端部下方にはシート状物排出装置としての排紙装置が設けられている。この排紙装置には上下方向に昇降自在なシート状物積載手段としての紙積台５が設けられており、この紙積台５上には、排紙チェーン４に設けられた図示しない紙くわえ装置から解放されたシート状物としての紙６が積載される。７は落下してくる紙６の前端を当接させて天地方向の揃えを行う天地方向揃え手段としての紙当てである。８は吸引減速手段であって、落下直前の紙尻部をエア孔９ａ（図２参照）からのエアによって吸引し、紙６の搬送されてきた速度を減速し紙６の姿勢を安定させる吸引車９と、紙６を紙積台５に案内する案内板１０とによって構成されている。案内板１０は、図６に示すように断面が略逆Ｌ字状に形成されており、水平部１０ａとこれと直交する鉛直部１０ｂとによって一体に形成されている。水平部１０ａの表面は排紙チェーン４により搬送される紙６を案内する。
【００１７】
鉛直部１０ｂの表面は、落下する紙６の後端に添接し紙６を紙積台５に案内する案内面１０ｃとして機能し、この案内面１０ｃは、図２に示すように紙積台５上に落下する紙６の左右方向（図中矢印Ｃ−Ｄ方向）に延在している。なお、図２におけるＧ−Ｇ線は吸引減速手段８の矢印Ｃ−Ｄ方向の中央を指示する線である。１１は基端部が小軸１１ａを揺動中心として鉛直部１０ｂに支持されたブロック１２に揺動自在に支持された揺動片である。この検知片１１の揺動端部１１ａに、上昇してきた紙積台５に載置されたパレット１３が当接することにより、検知片１１がこれを検知して紙積台５の上昇を停止させ、パレット１３による吸引減速手段８等の突き上げを阻止している。
【００１８】
吸引減速手段８は、紙６の天地方向の長さによって自動的に作動する図示しない制御装置によって、搬送される紙６の天地方向（矢印Ａ−Ｂ方向）に移動するように構成されている。すなわち、天地方向のサイズが小さい紙の場合は、吸引減速手段８を矢印Ｂ方向へ移動させ、天地方向のサイズが大きい紙の場合は、矢印Ａ方向へ移動させ、紙の天地方向のサイズに対応させて紙６の姿勢を常に安定させるように構成されている。
【００１９】
図３に符号１５で示す横寄せ装置は、後述するラック部材５０に支持され矢印Ａ−Ｂ方向の移動が規制された固定横寄せ部材１６と、この固定横寄せ部材１６に取り付けられた支持部材１７と、この支持部材１７に摺動自在に支持されたガイドバー１８によって矢印Ａ−Ｂ方向に移動可能に支持された移動横寄せ部材１９とによって概ね構成されている。この横寄せ装置１５は、排紙装置１の左右に一対（一方の横寄せ装置１５は図示せず）設けられている。２０は基端部が小軸２０ａを揺動中心として固定横寄せ部材１６および移動横寄せ部材１９のそれぞれに揺動自在に支持された揺動片である。この揺動片２０により、上昇限に位置する紙積台５と固定および移動横寄せ部材１６，１９との間で紙揃えを行うことが可能になる。
【００２０】
支持部材１７は、図７に示すように、上板２１と、この上板２１と直交するように折り曲げ形成された第１および第２の側板２２，２３と、この第２の側板２３と直交するように接合され上板２１と対向する底板２４と、この底板２４の端部を上板２１側に直角に折り曲げ形成した支持片２５とによって一体に形成されている。
【００２１】
上板２１には一対のねじ孔２１ａ，２１ａが設けられており、このねじ孔２１ａに螺合されるボルト２７によって、図３に示すように矢印Ｃ−Ｄ方向に延在する後述するラック部材５０に上板２１が取り付けられている。第１の側板２２には、図７に示すように一対のねじ孔２２ａ，２２ａが設けられており、このねじ孔２２ａに螺合されるボルト２８によって上記した固定横寄せ部材１６が、図３に示すようにラック部材５０と直交するようにこの第１の側板２２に取り付けられている。
【００２２】
底板２４には図７に示すように二対のねじ孔２４ａが設けられており、このねじ孔２４ａに螺合されるボルト２９，２９によって、図３および図６に示すようにガイドバー１８を摺動自在に支持する断面コ字状に形成されたガイドブロック３０Ａ，３０Ｂが互いに対向するように取り付けられている。すなわち、ガイドバー１８は、このガイドブロック３０Ａ，３０Ｂの凹部と底板２４との間に嵌挿され、図３において矢印Ａ−Ｂ方向に摺動自在に支持されている。このガイドバー１８とガイドブロック３０Ａ，３０Ｂとによって案内手段を形成している。このガイドバー１８の矢印Ｂ方向の端部に設けられたねじ孔に規制手段としてのボルト３１が螺合されており、このボルト３１が一方のガイドブロック３０Ａに係合することにより、このガイドバー１８は矢印Ａ方向への移動が規制される。この規制手段３１は、ガイドバー１８に突出部が設けられていればよく、この突出部はボルト３１の頭部やピンでもよいし、ガイドバー１８に一体形成されたものでもよい。
【００２３】
３２，３２は制動手段であって、ガイドブロック３０の凹部に臨むようにねじ孔に螺合されたねじ３２ａと、ガイドブロック３０のねじ孔に嵌装された押圧片３２ｂとから構成されており、ねじ３２ａにより押圧片３２ｂがガイドバー１８に軽く押圧されている。この制動手段３２は、後述するように移動横寄せ部材１９が矢印Ｃ−Ｄ方向に振動して紙６の左右方向を揃える際にガイドバー１８がガイドブロック３０の凹部の中でがたつくことを防止するものであって、紙揃えを良好とするように機能する。そして、ねじ３２ａにより押圧片３２ｂがガイドバー１８に軽く押圧されていることにより、ガイドバー１８のガイドブロック３０に対するＡ−Ｂ方向への移動が可能になる。すなわち、この制動手段３２によって、ガイドバー１８はＡ−Ｂ方向の移動可能でかつがた取りもなされる。なお、制動手段３２としてボールプランジャーを用いるようにしてもよい。ガイドバー１８の矢印Ａ方向の端部には、ブロック３３を介して移動横寄せ部材１９が取り付けられている。
【００２４】
図６において、３４は矢印Ａ方向の端部がブロック３３に取り付けられたばね軸であって、矢印Ｂ方向の端部が支持部材１７の支持片２５に設けた挿通孔２５ａに挿通されている。３５はばね軸３４に嵌装された付勢手段としての圧縮コイルばねであって、支持片２５とブロック３３との間に弾装されており、移動横寄せ部材１９を矢印Ａ方向に付勢している。すなわち、この圧縮コイルばね３５は、移動横寄せ部材１９に設けた後述するころ３８を案内板１０の案内面１０ｃに付勢するように機能する。ばね軸３４は、上述したようにボルト３１によってガイドバー１８が矢印Ａ方向への移動が規制されていることにより、支持片２５の挿通孔２５ａからの抜けが規制されている。
【００２５】
移動横寄せ部材１９の矢印Ａ方向の端部には、支持ブロック３６が取り付けられており、この支持ブロック３６に鉛直方向に延在する軸３７が支持され、この軸３７を回転中心としてころ３８が水平方向に回転自在に支持されている。このころ３８は上記した案内板１０の鉛直部１０ｂの案内面１０ｃに対向しており、後述するように天地方向のサイズが小さい紙の場合に吸引減速手段８が矢印Ｂ方向に移動することにより、案内面１０ｃがころ３８に当接する。したがって、案内面１０ｃは当接面としても機能し、この案内面１０ｃは紙６の左右方向のサイズによって移動横寄せ部材１９を矢印Ｃ−Ｄ方向に移動させても、案内面１０ｃところ３８との当接が維持されるように矢印Ｃ−Ｄ方向に延在している。
【００２６】
図３および図４において、４０はフレーム２に取り付けられた固定ブロックである。４１はフレーム２に対して矢印Ｃ−Ｄ方向に移動自在に支持された案内部材であって、この案内部材４１はラック部材５０を矢印Ｃ−Ｄ方向に移動自在に支持している。この案内部材４１に植設されたピン４２と固定ブロック４０との間には引張コイルばね４３が懸架されており、案内部材４１はこの引張コイルばね４３の引張力によって矢印Ｃ方向に付勢されている。また、この案内部材４１に取り付けられたブラケット４４には、図４に示すようにカムフォロア４５が回転自在に支持されており、このカムフォロア４５は本機の印刷動作に連動して矢印Ａ−Ｂ方向に往復動するカム部材４６のカム面４６ａに添接している。したがって、本機の印刷動作が開始されると、カム部材４６の矢印Ａ−Ｂ方向への往復動により、このカム部材４６のカム面４６ａを転動するカムフォロア４５を介して、案内部材４１が引張コイルばね４３の引張力に抗して矢印Ｄ方向へ移動し、次に引張コイルばね４３の引張力による矢印Ｃ方向へ移動するため、案内部材４１は矢印Ｃ−Ｄ方向に微動し、横寄せ装置１５による紙６の左右方向における紙揃えが行われる。すなわち、カム部材４６とカムフォロア４５と案内部材４１と引張コイルばね４３とによって、固定および移動横寄せ部材１６，１９に振動を付与する振動手段を形成している。
【００２７】
図３において、４７は紙６の左右方向のサイズに応じて横寄せ装置１５を矢印Ｃ−Ｄ方向に移動させるモータであって、案内部材４１に取り付けられており、出力軸にはピニオン４８が軸着されている。５０は矢印Ｃ−Ｄ方向に延在するように案内部材４１に移動自在に支持されたラック部材であって、ピニオン４８に噛合し矢印Ｃ−Ｄ方向に延在するラック５１が取り付けられている。したがって、モータ４７を一方向に駆動することによりピニオン４８が図４中時計方向に回転し、ピニオン４８に噛合するラック５１を介してラック部材５０が矢印Ｃ方向に移動する。この移動によって固定横寄せ部材１６と移動横寄せ部材１９とが左右方向のサイズが小さい紙に対応する。一方、モータ４７を一方向と反対方向の他方向に駆動することによりピニオン４８が図４中反時計方向に回転し、ピニオン４８に噛合するラック５１を介してラック部材５０が矢印Ｄ方向に移動する。この移動によって固定横寄せ部材１６と移動横寄せ部材１９とが左右方向のサイズが大きい紙に対応する。すなわち、モータ４７とピニオン４８とラック５１とによって、紙６の左右方向のサイズに応じて横寄せ装置１５を矢印Ｃ−Ｄ方向に移動させる調整手段を形成している。
【００２８】
次に、このように構成されたシート状物の横寄せ装置において、シート状物のサイズに対応させて横寄せ装置を移動調整する動作について説明する。先ず、天地方向のサイズが大きく、かつ左右方向のサイズが大きい紙に対応させて横寄せ装置を移動調整する動作について説明する。この場合は、図示しない制御装置に入力された紙６の左右方向のサイズに基づいてモータ４７を一方向と反対方向の他方向に駆動し、ピニオン４８を図４中反時計方向に回転させることにより、ピニオン４８に噛合するラック５１を介してラック部材５０を矢印Ｄ方向に移動させる。したがって、支持部材１７を介してラック部材５０に取り付けられた固定横寄せ部材１６も矢印Ｄ方向に移動し、この固定横寄せ部材１６にガイドバー１８を介して支持されている移動横寄せ部材１９も矢印Ｄ方向に移動するので、横寄せ装置１５が紙６の左右方向のサイズに対応した位置に位置付けられる。
【００２９】
同時に、図示しない制御装置に入力された紙６の天地方向のサイズに基づいて吸引減速手段８が、図８（Ｂ）に示される位置から図８（Ａ）に示すように矢印Ａ方向に移動し、紙６の天地方向のサイズに対応した位置に位置付けられる。このとき、移動横寄せ部材１９が圧縮コイルばね３５の弾発力によって矢印Ａ方向に移動し、ボルト３１が一方のガイドブロック３０Ａに係合することにより、移動横寄せ部材１９の矢印Ａ方向への移動が停止するため、ころ３８と案内板１０の案内面１０ｃとの当接が解除される。このように、ころ３８と案内面１０ｃとが離間し非接触状態になっているため、紙揃えのために横寄せ装置１５が矢印Ｃ−Ｄ方向に往復動するときに、ころ３８や案内面１０ｃに発生する摩耗を減らすことができるから耐久性を向上させることができる。また、移動横寄せ部材１９が矢印Ａ方向に移動することにより、移動横寄せ部材１９と固定横寄せ部材１６との間隔が広くなり、２つの横寄せ部材１９，１６間の横寄せ部材が接触しない区域の紙揃えが補償され、横寄せ部材が矢印Ａ方向に長くなったように作用し、矢印Ａ方向にサイズが大きくなった紙に対応するから紙揃えが良好になる。
【００３０】
次に、天地方向のサイズが大きく、かつ左右方向のサイズが小さい紙に対応させて移動させる横寄せ装置の動作について説明する。この場合は、図示しない制御装置に入力された紙６の左右方向のサイズに基づいてモータ４７を一方向に駆動し、ピニオン４８を図４中時計方向に回転させることにより、ピニオン４８に噛合するラック５１を介してラック部材５０を矢印Ｃ方向に移動させる。したがって、支持部材１７を介してラック部材５０に取り付けられた固定横寄せ部材１６も矢印Ｃ方向に移動し、この固定横寄せ部材１６にガイドバー１８を介して支持されている移動横寄せ部材１９も矢印Ｃ方向に移動するので、横寄せ装置１５が紙６の左右方向のサイズに対応した位置に位置付けられる。同時に、図示しない制御装置に入力された紙６の天地方向のサイズに基づいて吸引減速手段８が、図８（Ａ）に示すように矢印Ａ方向に移動して、ころ３８と案内板１０の案内面１０ｃとが離間し、吸引減速手段８は紙６の天地方向のサイズに対応した位置に位置付けられる。
【００３１】
次に、天地方向のサイズが小さく、かつ左右方向のサイズが小さい紙に対応させて移動させる横寄せ装置の動作について説明する。この場合は、図示しない制御装置に入力された紙６の左右方向のサイズに基づいてモータ４７を一方向に駆動し、ピニオン４８を図４中時計方向に回転させることにより、ピニオン４８に噛合するラック５１を介してラック部材５０を矢印Ｃ方向に移動させる。したがって、支持部材１７を介してラック部材５０に取り付けられた固定横寄せ部材１６も矢印Ｃ方向に移動し、この固定横寄せ部材１６にガイドバー１８を介して支持されている移動横寄せ部材１９も矢印Ｃ方向に移動するので、横寄せ装置１５が紙６の左右方向のサイズに対応した位置に位置付けられる。
【００３２】
同時に、図示しない制御装置に入力された紙６の天地方向のサイズに基づいて図８（Ａ）の位置にあった吸引減速手段８が矢印Ｂ方向に移動する。吸引減速手段８が矢印Ｂ方向にしばらく移動すると、ころ３８が案内板１０の案内面１０ｃに当接する。さらに、吸引減速手段８が紙６の天地方向のサイズに対応した位置に位置付けられるまで初期位置から矢印Ｂ方向に距離Ｌだけ移動する。この移動によって、案内面１０ｃがころ３８を矢印Ｂ方向に押圧するため、移動横寄せ部材１９が圧縮コイルばね３５の弾発力に抗して図８（Ｂ）に示すように矢印Ｂ方向に距離ｌだけ移動する。（Ｌ＞ｌ）
【００３３】
この状態で、紙揃えのために横寄せ装置１５を矢印Ｃ−Ｄ方向に往復動させると、案内板１０の案内面１０ｃに当接しているころ３８が回動するため、横寄せ装置１５の矢印Ｃ−Ｄ方向へ微動が円滑に行われるから横寄せ装置１５による紙６の左右方向における紙揃えが良好になる。また、移動横寄せ部材１９が矢印Ｂ方向に移動することにより、移動横寄せ部材１９の天地方向の位置が、矢印Ｂ方向にサイズが小さくなった紙に対応して位置付けられるから紙６の左右方向における紙揃えが良好になる。
【００３４】
次に、天地方向のサイズが小さく、かつ左右方向のサイズが大きい紙の横寄せ動作について説明する。この場合は、図示しない制御装置に入力された紙６の左右方向のサイズに基づいてモータ４７を一方向と反対方向の他方向に駆動し、ピニオン４８を図４中反時計方向に回転させることにより、ピニオン４８に噛合するラック５１を介してラック部材５０を矢印Ｄ方向に移動させる。したがって、支持部材１７を介してラック部材５０に取り付けられた固定横寄せ部材１６も矢印Ｄ方向に移動し、この固定横寄せ部材１６にガイドバー１８を介して支持されている移動横寄せ部材１９も矢印Ｄ方向に移動するので、横寄せ装置１５が紙６の左右方向のサイズに対応した位置に位置付けられる。
【００３５】
同時に、図示しない制御装置に入力された紙６の天地方向のサイズに基づいて、図８（Ａ）の位置にあった吸引減速手段８が矢印Ｂ方向に移動する。吸引減速手段８が矢印Ｂ方向にしばらく移動すると、ころ３８が案内板１０の案内面１０ｃに当接する。さらに、吸引減速手段８が紙６の天地方向のサイズに対応した位置に位置付けられるまで初期位置から矢印Ｂ方向に距離Ｌだけ移動する。この移動によって、案内面１０ｃがころ３８を矢印Ｂ方向に押圧するため、移動横寄せ部材１９が圧縮コイルばね３５の弾発力に抗して図８（Ｂ）に示すように矢印Ｂ方向に距離ｌだけ移動する。
【００３６】
このように、移動横寄せ部材１９を紙６の天地方向のサイズに応じて移動させるのに、案内板１０の案内面１０ｃと、移動横寄せ部材１９に設けたころ３８と、ころ３８を案内面１０ｃに付勢する圧縮コイルばね３５とによって行うようにしたものである。このため、移動横寄せ部材１９を紙６の天地方向に移動させるためのモータやエアシリンダといった駆動手段が不要になるとともに、リンクや移動横寄せ部材１９を案内するレールも不要になる。したがって、部品点数が削減され構造が簡素化されるため製造コストが低減される。また、紙６の左右方向に延びる案内面１０ｃとこれに当接するころ３８とによって横寄せ装置１５の紙６の左右方向への移動が行われるため、移動が円滑に行われるから紙揃えが良好になる。
【００３７】
また、移動横寄せ部材１９と吸引減速手段８との干渉防止のためのリミットスイッチが不要になるというだけではなく、このリミットスイッチによって吸引減速手段８を一旦停止させた後に、移動横寄せ部材１９を干渉しない位置まで移動させる動作や吸引減速手段８の所定位置まで移動させる動作が不要になる。また、紙６を案内する案内板１０の案内面１０ｃにころ３８を当接させる当接面としての機能を併せ持たせたことにより、部品点数をより削減することができるから製造コストをより低減することができる。
【００３８】
なお、本実施の形態においては、当接面を吸引減速手段８の案内板１０の案内面１０ｃで兼用するようにしたが、案内板１０の鉛直部１０ｂにブラケット等を設け、このブラケットにころ３８を当接させるようにしてもよい。また、ブラケットにころ３８を回動自在に支持し、横寄せ装置１５側にこのころ３８が当接する当接面を設けてもよい。また、本実施の形態においては、本発明に係るシート状物の横寄せ装置を枚葉輪転印刷機の排紙装置に使用した例を説明したが、必ずしもこれに限定されることなくコーティング装置やシート状物の印刷品質を検査する検査装置等にも使用できる。また、シート状物として紙６を用いた例を説明したが、シート状のフィルムやアルミニウム板であってもよい。
【図面の簡単な説明】
【００３９】
【図１】本発明に係るシート状物の横寄せ装置を採用した枚葉輪転印刷機の排紙装置の側面図である。
【図２】図１におけるII矢視図である。
【図３】図１における III矢視図である。
【図４】図９におけるIV矢視図である。
【図５】図９における V矢視図である。
【図６】図９におけるVI矢視図である。
【図７】本発明に係るシート状物の横寄せ装置における支持ブラケットを示し、同図（Ａ）は正面図、同図（Ｂ）は底面図、同図（Ｃ）は右側面図、同図（Ｄ）は左側面図である。
【図８】図３におけるVIII矢視図であって、同図（Ａ）は天地方向のサイズが大きいシート状物の排紙状態を示し、同図（Ｂ）は天地方向のサイズが小さいシート状物の排紙状態を示す。
【図９】本発明に係るシート状物の横寄せ装置を採用した枚葉輪転印刷機の排紙装置の平面図である。
【符号の説明】
【００４０】
１…枚葉輪転印刷機の排紙装置、２…フレーム、６…紙（シート状物）、８…吸引減速手段、９…吸引車、１０…案内板、１０ｃ…案内面（当接面）、１５…横寄せ装置、１６…固定横寄せ部材、１７…支持部材、１８…ガイドバー、１９…移動横寄せ部材、３１…ボルト（規制部材）、３５…圧縮コイルばね（付勢手段）、３８…ころ、４１…案内部材。
【図１】
2007261697.tif 000003
【図２】
2007261697.tif 000004
【図３】
2007261697.tif 000005
【図４】
2007261697.tif 000006
【図５】
2007261697.tif 000007
【図６】
2007261697.tif 000008
【図７】
2007261697.tif 000009
【図８】
2007261697.tif 000010
【図９】
2007261697.tif 000011